(57)【要約】  【課題】  主面の面積を確保しながら、粘着シート全体に供給される通電電流の均一化、患部貼付中央部における良好な通電状態の確保を図り、貼付患部への配置の自由度を高めた低周波治療器用の電極導子を提供する。  【解決手段】  主面の一方が粘着導電面を有する粘着シートに貼付けられる導電面３、他方が患部側に対峙される絶縁面４をなし、導電面３は、低周波治療器の通電コードに接続される基端部１０と、基端部１０側から形成され、使用する粘着シートの粘着導電面を主面の略中央に露呈させるための肉抜部２と、を備える。【選択図】  図１
2006000381.tif 000002
【特許請求の範囲】
【請求項１】
略薄板状をなし、主面の一方が粘着導電面を有する粘着シートに貼付けられる導電面、他方が患部側に対峙される絶縁面をなす電極導子であって、
前記導電面は、低周波治療器の通電コードに接続される基端部と、該基端部側から形成され、使用する粘着シートの前記粘着導電面を前記主面の略中央に露呈させるための肉抜部と、を備えたこと
を特徴とする低周波治療器用の電極導子。
【請求項２】
前記肉抜部は、前記主面を前記基端部から左右両側に分離する形状であること
を特徴とする請求項１記載の低周波治療器用の電極導子。
【請求項３】
前記肉抜部は、開口形状であること
を特徴とする請求項２記載の低周波治療器用の電極導子。
【請求項４】
前記肉抜部は、主面外形と略相似する形状であること
を特徴とする請求項３記載の低周波治療器用の電極導子。
【請求項５】
基端側よりも外形幅が広い幅広部を具備すること
を特徴とする請求項１乃至４のいずれか１項に記載の低周波治療器用の電極導子。
【請求項６】
前記幅広部は、先端部幅が最も広い形状であること
を特徴とする請求項５記載の低周波治療器用の電極導子。
【請求項７】
前記幅広部は、先端方向に末広となる形状であること
を特徴とする請求項６記載の低周波治療器用の電極導子。
【請求項８】
前記導電面は、外内周の縁部に絶縁領域が形成されたこと
を特徴とする請求項１乃至７のいずれか１項に記載の低周波治療器用の電極導子。
【請求項９】
少なくとも前記粘着シートの粘着導電面に貼付される部位が可撓性部材からなること
を特徴とする請求項１乃至８のいずれか１項に記載の低周波治療器用の電極導子。
【請求項１０】
請求項１乃至９のいずれかに記載の電極導子と、
該電極導子の前記基端部を除く外縁形状よりも大きい外形の粘着導電面を有する粘着シートと、からなる低周波治療器用の電極構造。
【発明の詳細な説明】
【技術分野】
【０００１】
本発明は、低周波治療器用の電極構造に関し、詳しくは、低周波治療器の通電電流を供給するために、含水ゲルシート等の粘着シートとともに患部に取付けられる電極導子に関する。
【背景技術】
【０００２】
従来より、各種治療のため患部に電極を貼付けて低周波電流を通電する装置として、低周波治療器が広く用いられている。ここで、低周波治療器用の電極としては、従来より種々のものが提供されているが、患部貼付面に粘着層の形成されたカーボン電極で、その裏面に低周波治療器からのコードを着脱可能に取付けるスナップ接続部が設けられ、繰り返し使用されるタイプのものが主流であった。
【０００３】
これに対して、近年では、低周波治療器用の電極としては、含水ゲルを基材にした粘着導電面が形成された薄型の柔らかいシート（以下、含水ゲルシートと言う。）も、使い捨て用の電極として使用されるようになっている（例えば特許文献１参照）。
【０００４】
すなわち、かかる含水ゲルシートは、上述した従来型の電極に比較して、低コストで製造でき、例えば患部の温度を下げるための冷却シートとして大量に流通していること、使い捨てなので、繰り返し使用する従来タイプの電極と比べて衛生的であること、基材が柔らかく、刃物での切断が可能なため、皮膚に対して通電する面積を容易に調整できること、さらには含水ゲル面に種々の薬液或いは美容液成分を含有させることで、患部への電気刺激のみならず、種々の薬効、美容等の効果を期待できること、等の種々のメリットを有している。
【０００５】
このため、低周波治療器からの電流を含水ゲルシートに供給するために、患部に貼付される含水ゲルシートに対して着脱可能に取付けられる電極導子が提供されている（例えば特許文献２参照）。
【０００６】
このような電極構造の場合には、通電時に電極導子の電極面（導電部）が患部（皮膚）に接触すると、低周波治療器からの電流が患部（皮膚）に直接通電する所謂「電流漏れ」状態となり、患者に不快な刺激を与えることになる。
【０００７】
したがって、含水ゲルシートに取付けられる電極導子としては、低周波治療器からの通電電流を、含水ゲルシートの含水ゲル面を介して患部に供給させるために、主面の一方を導電面、他方を絶縁面として、導電面を含水ゲルシートの含水ゲル面に取り付けて、患部には絶縁面側が対峙するように使用する必要がある。
【特許文献１】特開平９−７０４４２号公報
【特許文献２】特開２００１−２１２２４９号公報
【発明の開示】
【発明が解決しようとする課題】
【０００８】
ところで、このような含水ゲルシートと患部との間に介在させるタイプの電極導子においては、上述した電極構造上、絶縁面が対峙する患部（皮膚）の部位には低周波治療器からの電流が供給されないために、電極導子の面積や、使用時における電極導子の配置（向きや位置など）が大きく制限されていた。
【０００９】
具体的には、絶縁部の領域を減らすべく電極導子の主面面積を小さくする必要があり、かつ、この電極導子を含水ゲルシートの端側に取付ける必要があったため、低周波治療器からの通電電流を含水ゲルシート全体に均一化して供給することができない、という問題点があった。
【００１０】
一方で、電極導子の主面面積を小さくした場合には、含水ゲルシートへの接触面積が小さくなるために、接触不良を生じやすくなり、また、外力により電極導子が脱落しやすくなる、という別の問題が発生する。
【００１１】
また、電極導子の面積を小さくした場合には、該電極導子に含水ゲルシートを取付けて患部に貼る際に、電極導子の左右側に垂れ下がった含水ゲルシートの両端部の粘着面同士がくっついてしまい不便を生じ易い、という問題もあった。この点につき、上記特許文献２の電極導子は、含水ゲルシートを患部に貼付けた状態での着脱を可能とするものであるため、かかる不都合については回避することができる。
【００１２】
しかしながら、特許文献２の電極導子は、含水ゲルシートを患部に貼付けた状態での着脱の容易化を図るべく主面が先細状となっており、このため外力等により脱落しやすいという弱点があり、粘着導電面の劣化が激しい含水ゲルシート用の導子としては必ずしも実用的に優れているとは言えないものであった。
【００１３】
すなわち、含水ゲルシートの粘着導電面は、その粘着力が短時間で容易に劣化するものであり、また、そもそも該粘着力はさほど強いものではない。このため、特許文献２の電極導子では、通電コード側が下向きになるように取付けた場合や、さらには把持部やコード等にかかる外力が比較的弱い場合であっても、脱落しやすい弱点を有している。したがって、含水ゲルシート等の比較的弱い粘着力のシートに用いる電極導子としては、把持部やコード等に外力がかかっても容易には脱落しないものが求められていると考えられる。
【００１４】
これに対して、耐脱落性を持たせるために、電極導子を例えば含水ゲルシートの上下から挟み込む挟持式とすることも考えられるが、この場合には構造の複雑化やコスト高を招く等の問題点がある。
【００１５】
本願発明の課題は、粘着シートと患部との間に介在させるタイプの電極導子における上述の問題点を解決することにある。
【００１６】
すなわち、本発明の主たる目的は、主面の面積を確保しながら、粘着シート全体に供給される通電電流の均一化、患部貼付中央部における良好な通電状態の確保を図り、貼付患部への配置の自由度を高めた低周波治療器用の電極導子を提供することにある。
【００１７】
また、本発明の他の目的としては、外力等による脱落防止の強化が図られた低周波治療器用の電極導子を提供することにある。
【課題を解決するための手段】
【００１８】
本発明の第一の構成は、略薄板状をなし、主面の一方が粘着導電面を有する粘着シートに貼付けられる導電面、他方が患部側に対峙される絶縁面をなす電極導子であって、導電面は、低周波治療器の通電コードに接続される基端部と、該基端部側から形成され、使用する粘着シートの粘着導電面を主面の略中央に露呈させるための肉抜部と、を備えたことを特徴とする。この電極導子においては、肉抜部の形状に基づいて、患部に対峙する電極導子の絶縁面すなわち非通電領域の待避、分散、再分配、等が可能となる。
【００１９】
本発明の第二の構成は、第一の構成において、肉抜部は、主面を基端部から左右両側に分離する形状であることを特徴とする。この電極導子においては、肉抜部により、部材の基端部から主面中央に向かって空隙が形成され、使用される粘着シートの粘着導電面が、左右の導子部材の内側の空隙箇所に露呈される。
【００２０】
本発明の第三の構成は、第二の構成において、肉抜部が開口形状であることを特徴とする。第三の構成を備えた電極導子においては、主面に環状の枠部が形成され、剛性が確保されるとともに、先端側の開口部位により、引抜き時において該引抜き力に抗する力が発生する。
【００２１】
本発明の第四の構成は、第三の構成において、肉抜部は、主面外形と略相似する形状であることを特徴とする。第四の構成を備えた電極導子においては、導電面の枠部の幅（太さ）を略一定とすることが可能となる。
【００２２】
本発明の第五の構成は、第一乃至第四のいずれかの構成において、基端側よりも外形幅が広い幅広部を具備することを特徴とする。第五の構成を備えた電極導子においては、該幅広部により、引抜き時において該引抜き力に抗する力が発生する。また、第三の構成との組み合わせにより、使用する粘着シートが比較的大きな場合にも粘着部同士がくっつく等の不具合の回避に寄与する。
【００２３】
本発明の第六の構成は、第五の構成において、幅広部は、先端部幅が最も広い形状であることを特徴とする。
【００２４】
本発明の第七の構成は、第六の構成において、幅広部は、先端方向に末広となる形状であることを特徴とする。
【００２５】
本発明の第八の構成は、第一乃至第七のいずれかの構成において、導電面は、外内周の縁部に絶縁領域が形成されたことを特徴とする。第八の構成を備えた電極導子においては、低周波治療器からの電流が患部（皮膚）に直接通電する所謂電流漏れ防止の強化が図られる。
【００２６】
本発明の第九の構成は、第一乃至第八のいずれかの構成において、少なくとも前記粘着シートの粘着導電面に貼付される部位が可撓性部材からなることを特徴とする。第九の構成を備えた電極導子においては、患部の曲面や凹凸等に対する適応性が良好となる。
【００２７】
また、本発明は、上記いずれかの構成の電極導子と、該電極導子の基端部を除く外縁形状よりも大きい外形の粘着導電面を有する粘着シートと、からなる低周波治療器用の電極構造である。
【発明の効果】
【００２８】
上記構成を備えた本発明の電極導子によれば、主面の面積を確保しながら、粘着シート全体に供給される通電電流の均一化、患部貼付中央部における良好な通電状態の確保が図られ、貼付患部への配置の自由度が高められる。
【発明を実施するための最良の形態】
【００２９】
本発明の実施の形態を、図面を参照しながら詳細に説明する。
【００３０】
図１に示すように、本実施の形態の電極導子１は、その主面外形（外縁形状）につき、基端側が縦長の略矩形をなし、この矩形に対して、先端（図１上方）側が幅広となる台形が接続された左右対称の形状（換言すると略皿ねじ状）を呈している。そして、この電極導子１では、基端部側から肉抜部が形成されており、これにより導子部材が基端部から左右両側に分離するように延設され、部材の主面中央に空隙が大きく形成される。本実施の形態では、部材主面の肉抜部として、上述した外縁形状と略相似する形状の肉抜開口部２を設けており、これにより、部材全体としては、環状の枠体構造となっている。
【００３１】
なお、実際の通電時には、図３に示すように、この電極導子１が２個一組で使用されることになるが、煩雑を避けるためここでは一方の導子のみについて説明する。以下、電極導子１の各部について詳説する。
【００３２】
電極導子１は、図１に示す一方の主面が導電性を有し粘着シートの粘着導電面に取付（貼付）けられる導電面３であり、図２（ａ）に示す他方の主面が使用時に患部側に対峙される絶縁面４となっている。なお、各図では、両主面の区別のため、導電面側に斜線を加えて表している。
【００３３】
電極導子１は、低周波治療器（図示せず）からの通電コードが接続される基端部１０と、粘着導電面を有する含水ゲルシート（以下、単に粘着シートと言う。）に当接される部位であって、該基端部１０から分岐するように延設された本体部２０と、を一体に備えている（図３，図４参照）。
【００３４】
そして、本実施形態における電極導子１の本体部２０は、基端部１０の左右端側から相互に略並行に延設された一対の本体中間部３０と、該本体中間部３０から末広がり状に延設された本体先端部４０と、を一体に備えている。ここで、本体先端部４０は、その先端側が本体中間部３０に対して略直角方向となるように屈曲されることにより、本体中間部３０から延設された左右一対の末広がり部を所定位置で閉じている。
【００３５】
この本体先端部４０は、基端側よりも外形幅が広い幅広部であり、粘着シートの粘着面左右端部のくっつきを防止する機能を担い、また、部材外縁の斜辺部４１及び肉抜開口部２の先端側形状に基づいて形成された横断内縁部４２により、粘着シートからの引抜き時に抗する部位として機能することになるが、これらについては後述する。
【００３６】
電極導子１における本体部２０は、使用する粘着シートの大きさとの関係で以下のような構成とされる。すなわち、本体部２０の横最大幅（図２（ａ）の幅Ｗ１）は、使用する粘着シートの短尺方向幅に対応した寸法であり、詳細には、該粘着シートの短尺方向の粘着導電面幅と略同一乃至若干短い幅であることが好ましい。一方、本体部２０の基端側乃至中央における横幅（この例では基端部１０及び本体中間部３０の幅）は、上記横最大幅Ｗ１の半分程度となっている。
【００３７】
同様に、本体部２０の縦幅、換言すると電極導子１の部材先端から肉抜開口部２の基端側までの長さ（図２（ａ）の長さＬ）は、使用する粘着シートの短尺方向幅に対応した幅であり、詳細には、該粘着シートの短尺方向の粘着導電面幅と略同一幅乃至若干長い幅であることが好ましい。
【００３８】
本体部２０の幅をこのように設定することで、導電部の面積及び肉抜開口部２の十分な広さが確保されるとともに、粘着シートを横向き（図４参照）或いは縦向きのいずれの方向に取付けた場合でも、その粘着導電面内に、電極導子１の本体先端部４０の全部及び本体中間部３０の大部分を貼付けることができ、さらには、本体部２０の外側の粘着領域も確保される。特に、電極導子１の横最大幅を上述のように十分広く確保することで、粘着シートの長尺方向が長い場合で且つ電極導子１に対して横向きに取付けた場合であっても、その粘着導電面左右両端部がくっついてしまうような不具合を回避出来る。
【００３９】
なお、一般に供給されている冷却シート等の粘着シートは、その短尺方向幅（及び粘着導電面幅）が５０（及び４５）ｍｍ前後のものが多い。このため、本実施形態では、電極導子１の横最大幅（図２の幅Ｗ１）が約３６ｍｍ、部材先端から肉抜開口部２の基端側までの長さ（図２の長さＬ）が約４５ｍｍに設定されている。但し、本願発明がこのサイズに限定されるものではない。
【００４０】
電極導子１の基端部１０には、低周波治療器からの電流を供給するコード（通電コード１０１）を接続するためのコード接続部１１が設けられている。このコード接続部１１は、図２（ｂ）に示すように、導電面３側のスナップ端子１２と絶縁面４側の絶縁部材１３とからなり、両者はそれぞれ基端部１０の不図示の孔部を介して嵌合するように接続される。ここで、スナップ端子１２は、ステンレス等の導電部材からなり、図４に示す通電コード１０１の接続端子１０２に着脱可能に係合する凸形状を呈している。一方、絶縁部材１３は、スナップ端子１２の裏側の凹形状に嵌入される不図示の凸部を有しており、基端部１０の前記孔部を介してスナップ端子１２と嵌着される。
【００４１】
この電極導子１は、部材全体が可撓性を有しており、本実施形態ではポリエステルからなる合成樹脂製となっている。なお、合成樹脂としては、他にも、例えばポリエチレン、ポリプロピレン、塩化ビニール、などを使用することができる。さらには、可撓性を有していれば、合成樹脂以外の素材を用いても良い。このように、電極導子１を可撓性部材とすることにより、後述する引き抜き時において力が分散され、該部材へのダメージを抑えることができる。
【００４２】
なお、基端部１０を可撓性を有しない部材で構成しても良いが、使用中に外力が加わることを考慮すると、基端部１０も可撓性とする方が好ましく、これにより外力がより分散されるメリットがある。
【００４３】
図２（ｂ）は、電極導子１を側方側から表したものであり、該図からも分かるように、部材全体として略薄板状となっている。なお、電極導子１の部材厚みは、サイズや材質にもよるが、粘着シートの患部への良好な粘着性を確保する観点からは、できるだけ薄い方が好ましい。上述したサイズ及び材質の場合には、部材厚みは、概ね１００μｍ〜１２５μｍの範囲が好適である。
【００４４】
本実施形態では、図１及び図２（ａ）に示すように、肉抜開口部２が電極導子１の主面外形と略相似する形状となっており、これにより本体部２０の部材太さ、すなわち図２（ａ）の枠幅Ｗ２が本体部２０全体に亘って均一化された太さとなる。本発明者が実際に試作したものとしては、肉抜開口部２の中央幅が略１０ｍｍ、同先端部幅が略２５ｍｍ、奥行が略４０ｍｍとされ、これにより本体部２０の枠幅Ｗ２が略４〜５ｍｍ程度となった。
【００４５】
なお、枠幅Ｗ２は、必ずしも本体部２０全体に亘って一定である必要は無いが、通電時の電流密度の均一化を図る観点からは導電部の幅が一定であることが好ましく、一方で、枠幅Ｗ２が均一でない構成とすると、導電部の幅を均一とするためには絶縁部３ａ，３ｂにつき不必要に広い領域（所謂無駄なスペース）が生じるので、かかる観点からは、本体部２０の枠幅Ｗ２が均一であることが好ましい。
【００４６】
電極導子１の導電面３は、導電材としてカーボンが印刷されており、かつ、該面の各縁部に絶縁領域が設けられている。すなわち、肉抜開口部２の形成により縁部（縁周の長さ）が増えるので、この場合には使用時における皮膚の弾性や部材の変形等により、縁部を介して導電部が直接患部（皮膚）に接触する可能性もそれだけ高くなるものと考えられる。
【００４７】
このため、電極導子１では、導電面３の外周縁及び内周縁には、導電材が形成されない絶縁部３ａ，３ｂがそれぞれ環状に設けられており、これにより通電時の電流漏れ、すなわち導電部（カーボン）が直接患部（皮膚）に触れることで不快な刺激を生じること、が防止される。本実施の形態では、内周縁及び外周縁からそれぞれ０．２ｍｍの領域を絶縁部３ａ，３ｂとしている。
【００４８】
一方、導電面３の反対側の主面は、全て絶縁構造とされた絶縁面４であり、かかる絶縁領域が上記絶縁部３ａ，３ｂにまで連接される。かかる構成により、貼付時における皮膚の弾性や部材の変形等にも対応して、通電時における不快な刺激の発生を回避している。
【００４９】
次に、粘着シートの構成について説明する。電極導子１が取付けられる粘着シートは、略矩形の不織布等の基材の片面に、導電性の粘着剤による粘着導電面が形成された薄型の柔らかいシートである（図３，図４参照）。この粘着シートの粘着導電面は、一般にプラスチックシート等の非透水性フィルム（図示せず）が貼着され、患部への貼付け直前に該フィルムを剥がして使用されることになる。本実施形態では粘着剤に含水ゲルを用いた冷却シートを用いているが、導電性の粘着面を有するシートであればこれに限られない。
【００５０】
また、粘着シートの粘着導電面には、種々の薬剤或いは化粧剤、さらには色素や香料等の各種成分が含有可能である。
【００５１】
ここで、粘着導電面に含有させる薬剤或いは化粧剤成分としては、例えばアスコルビン酸（ビタミンＣ成分），ｌ−メントール，サリチル酸メチル、等の種々の成分を用いることが可能である。
【００５２】
以下に、電極導子１の使用方法等について説明する。低周波治療器による治療等の際には、粘着シート１００の粘着導電面を例えば上方に向け、該粘着導電面に対して電極導子１の導電面３側を、本体先端部４０の全部及び本体中間部３０の大部分乃至ほぼ全てが接触し、且つ基端部１０が接触しないように取付け（貼付け）る。このとき、電極導子１の肉抜開口部２からは、粘着シート１００の粘着導電面が露呈されるので、該粘着導電面を自由な配置にて患部に当接させることが可能となる（図３，図４参照）。また、上述のように先端側の幅広部が十分な幅及び適度な剛性を有しているので、患部への貼付作業の際に、粘着シートの左右両端の粘着導電面同士がくっついてしまう不具合の発生が回避される。なお、電極導子１の基端部１０への通電コード１０１の取付けについては、粘着シート１００の取付け前或いは後のいずれでも良い。
【００５３】
しかして、本実施形態の電極導子１によれば、患部貼付時において、粘着シート１００が電極導子１の外側のみならず肉抜開口部２内の箇所も患部に当接して貼り付くので、良好な貼着状態及び患部の貼付中央部における良好な通電状態が得られる。
【００５４】
また、電極導子１の導電面３が、粘着シート１００の奥行方向及び幅方向に延びた状態となっているので、通電時には、粘着シートの全体に、低周波治療器からの通電電流（所定周波数のパルス信号）が均一に供給される。特に、肉抜開口部２に対応する患部貼付中央部に対しての通電状態が良好となり、印加電圧に応じた適度な刺激が加えられる。また、上述のように導電部（カーボン印刷部分）の幅が均一であることから、通電時において電流密度分布の均一化が図られる。加えて、導電面３に設けられた絶縁部３ａ，３ｂにより、所謂電流漏れによる不快な刺激が回避される。
【００５５】
また、患部貼付状態において、上記のように電極導子１と粘着シート１００との接触箇所及び接触面積が広く確保されており、さらには電極導子１の横断内縁部４２や斜辺部４１等により、電極導子１に外力が作用した場合であっても、容易には脱落することがない。
【００５６】
例えば、図４に示すように、通電コード１０１が引っ張られることで電極導子１に外力が作用した場合でも、肉抜開口部２の先端側の横断内縁部４２や斜辺部４１等が粘着シート１００の粘着導電面の奥側で密着しており、電極導子１は容易には抜けることがない。また、電極導子１が可撓性を有しているので、これにより外力が分散され、粘着シート１００の剥がれ防止や、導子部材への衝撃力の緩和が図られる。
【００５７】
なお、さらに強い力で引っ張った場合には、皮膚と粘着シート１００との密着度が電極導子１と該シートの密着度よりも弱い場合には、電極導子１とシートが一緒に皮膚から取り外され、この逆の場合には、粘着シート１００が皮膚に張り付いた状態のまま電極導子１が引き抜かれることになるが、いずれにしても、電極導子１の可撓性及び全体形状により外力が分散されるので、導子部材へのダメージは最小限に抑えられる。
【００５８】
本実施形態においては、通電終了後は、電極導子１が付いた状態の粘着シート１００を患部から剥がし、この状態から粘着シート１００を片手で押さえながら電極導子１の基端部１０をもう片方の手で把持して絶縁面４側に湾曲させれば良い。この際には、本体中間部３０から末広状の本体先端部４０の順に剥がれて行くので、使用する粘着シートの粘着力が強い場合であっても、部材に無理な力が加わることなく電極導子１を容易に取り外すことが可能となる。
【００５９】
なお、粘着シートにつき、電極導子１の本体部２０の外形形状より小さくならない範囲で、適宜の長さに切断して使用しても良い。その際には、粘着シートを例えば本体部２０の外縁形に対応した形状にして使用することも可能である。但し、含水ゲルシートのように粘着力がさほど強くない粘着シートを使用する場合には、取付け時に電極導子１から外側に余る部分の面積を適度に確保することが好ましい。図４では、粘着導電面が４５ｍｍ×７０ｍｍの粘着シートを横向きに取付けた場合を表している。
【００６０】
このように、本発明を適用した電極導子１によれば、肉抜開口部２により部材の主面中央に空隙が形成され、使用される粘着シートの粘着導電面が、本体部２０の左右の導子部材の内側の空隙箇所に露呈されるので、粘着導電面を導子部材の主面中央に露呈させることが可能となる。これにより、導子部材全体を粘着シートの中央ひいては貼付患部中央に持ってくることが可能となり、貼付患部への配置（向きや位置など）の自由度が増すとともに、主面の面積を十分に確保しながら、患部貼付中央部における良好な通電状態を得ることが可能となる。
【００６１】
以下、図５乃至図７を参照して、電極導子の変形例について説明する。なお、上述と同一機能の部分には同一の符号を付し、また同一の構成については説明を省略する。
【００６２】
上述した実施の形態では、末広がり部分となる斜辺部４１を本体部２０の先端側に設けた構成としたが、他にも、本体部２０の全体を末広がり形状としても良く、さらには図５に示す電極導子１Ａのように、外側縁全体を末広がり形状としても良い。この場合には、急激な引き抜き時において部材全体にかかるダメージがさらに少なくなり、図１の構成と比較して耐久性がより向上する。
【００６３】
上述した実施の形態では、単一の肉抜開口部を設ける構成としたが、例えば図６に示すように、肉抜開口部を複数個設ける構成としても良い。すなわち、図６に示す電極導子１Ｂは、横断内縁部４２と並行な横断リブ５０が本体中間部３０と本体先端部４０との間に形成されることにより、肉抜開口部２を基端側の開口部２ａと先端側の開口部２ｂとに分割している。この場合も、導電部材及び絶縁部（３ｂ）については上述と同様に各縁部に形成する。
【００６４】
かかる構成の電極導子１Ｂによれば、横断リブ５０により部材中央の剛性確保、横断リブ５０の前後における通電性の向上、基端側開口部２ａと横断リブ５０とにより形成される内縁部４３による引抜き耐性の向上、等が図られる。
【００６５】
この横断リブを付加する構成は、例えば電極導子につき、その全体形状（ひいては使用する粘着シート）が大きい場合、横幅が広い場合、等に好適である。但し、横断リブの数が増えると、粘着シートが患部に当接しない箇所が増えて通電面積が減り、また、肉抜開口部２の分割数が多くなり該開口部の１つ当たりの領域が相対的に減少して、露呈する粘着導電面の患部への当接状態が低下しがちになるので、全体の大きさにもよるが、通常は横断リブの付加数は少ない方が好ましい。
【００６６】
上述した電極導子１では、本体先端部４０の外縁を末広がり形状としたが、本体先端部の他の構成例としては、例えば図７に示す電極導子１Ｃのように、略「コ」字状としても良い。この場合には主面奥行方向略中央部にて左右側に突出するように形成される伸張辺部４４により、引抜き時の抵抗がより大きくなるので、これを調整するために、例えば本体中間部３０の外幅を相対的に広くしたり、テーパー状とする構成としても良い。
【００６７】
また、上述した電極導子１では、本体中間部３０の形状を直線状としたが、これを例えば波状としても良く、これにより耐引抜き性がより大きくなる。本体先端部４０の形状についても同様である。
【００６８】
さらには、上述した各実施の形態では、本体先端部４０を最も幅広の構成、換言すると基端部１０よりも外形幅が広い幅広部を部材先端側に設ける構成としたが、この幅広部を本体中間部３０の領域（奥行方向における略中央位置）に設けても良い。この場合は患部貼付中央部における粘着シート１００の貼付面積をより広く確保できる。
【００６９】
但し、患部貼付中央部における通電性（導子部材からの距離）、及び、実際の使用に当たっては、先端部側に粘着シートの残部が出る場合（特に粘着シート１００を縦方向に取付ける場合）を考慮すると、上述した引抜き耐性等の機能を奏する幅広部は、先端側に設けた方がより好ましいと考えられる。
【００７０】
さらには、肉抜部につき、上述のような開口形状とせずに、部材全体形状を例えば略「Ｕ」字状、略「Ｖ」字状とする肉抜形状とすることも可能であるが、部材の剛性や引抜き耐性等を確保する観点からは開口形状とすることが好ましい。
【００７１】
なお、上述した実施の形態では、低周波治療器の通電コードを着脱可能に接続するタイプの電極導子について説明したが、通電コードと一体接続された構成としても良いことは勿論である。
【００７２】
以上のように、各実施の形態の電極導子１，１Ａ〜１Ｃによれば、粘着シートを用いた貼付時に、絶縁面４全体をシート中央ひいては貼付患部中央に持ってくることが可能となり、貼付患部への配置（向きや位置など）の自由度が増すとともに、主面の面積を十分に確保しながら、患部貼付中央部における良好な通電状態、粘着シート全体に供給される通電電流の均一化、外力作用時における引抜き抵抗性、さらには粘着シートの左右端付着の防止、等のメリットが得られ、これら種々のメリットを構造の複雑化を招くことなく低コストで実現することが可能となる。
【図面の簡単な説明】
【００７３】
【図１】本発明を適用した電極導子の実施の形態を示す平面図である。
【図２】前記電極導子を説明する図であり、（ａ）が反対側の主面を示す平面図、（ｂ）が側面図である。
【図３】電極導子の使用状態を説明する図であり、２個の電極導子及び粘着シートを両肩に取付けて通電する場合を示す図である。
【図４】電極導子の使用状態を説明する図であり、通電コードが引っ張られて外力がかかった状態を示す図である。
【図５】本発明を適用した電極導子の他の実施の形態を示す平面図である。
【図６】本発明を適用した電極導子の他の実施の形態を示す平面図である。
【図７】本発明を適用した電極導子の他の実施の形態を示す平面図である。
【符号の説明】
【００７４】
１  電極導子
２  肉抜開口部（肉抜部）
３  導電面
３ａ，３ｂ  絶縁部（絶縁領域）
４  絶縁面
１０  基端部
１１  コード接続部
１２  スナップ端子
１３  絶縁部材
２０  本体部
３０  本体中間部
４０  本体先端部（幅広部）
４１  斜辺部
４２  横断内縁部
１Ａ，１Ｂ，１Ｃ  電極導子
２ａ  肉抜開口部
２ｂ  肉抜開口部
４３  内縁部
４４  伸張辺部
５０  横断リブ
１００  粘着シート
１０１  通電コード
１０２  接続端子
【図１】
2006000381.tif 000003
【図２】
2006000381.tif 000004
【図３】
2006000381.tif 000005
【図４】
2006000381.tif 000006
【図５】
2006000381.tif 000007
【図６】
2006000381.tif 000008
【図７】
2006000381.tif 000009